(57)【要約】【課題】明所コントラストが向上された液晶表示装置を提供する。【解決手段】本発明の液晶表示装置１００は、バックライト１０；集光部材２０；背面側偏光板３０；複数の画素を備える液晶セル４０；および視認側偏光板５０、をこの順に備える。液晶セル４０は、各画素に対応するカラー開口部４６０および隣接するカラー開口部の境界に設けられた境界遮光部４６３からなるカラーフィルタ４６を備える。カラーフィルタ４６は、境界遮光部４６３の面積が相対的に増大されている。集光部材２０は、バックライト１０からの光がカラーフィルタ４６のカラー開口部４６０に合焦されるように構成されている。【選択図】図１
2014145953.tif 000002
【特許請求の範囲】
【請求項１】
液晶表示装置であって、
バックライト；集光部材；背面側偏光板；複数の画素を備える液晶セル；および視認側偏光板、をこの順に備え、
前記液晶セルは、各画素に対応するカラー開口部および隣接するカラー開口部の境界に設けられた境界遮光部からなるカラーフィルタを備え、
前記カラーフィルタは、前記境界遮光部の面積が相対的に増大されており、
前記集光部材は、前記バックライトからの光が前記カラーフィルタのカラー開口部に合焦されるように構成されている、液晶表示装置。
【請求項２】
前記バックライトは、液晶セル面の法線方向の光量が、斜め方向の光量に比して相対的に増大された集光バックライトである、請求項１に記載の液晶表示装置。
【発明の詳細な説明】
【技術分野】
【０００１】
本発明は、液晶表示装置に関する。
【背景技術】
【０００２】
近年、スマートフォン等のモバイル機器の急速な発展と普及に伴って、モバイルディスプレイの高精細化や画質改善に対する要求が高まっている。モバイルディスプレイでは、特に、太陽光下等の明所での視認性が高いことが要求されるため、ディスプレイの明所コントラスト向上が重要な課題となっている。
【０００３】
例えば、特許文献１では、レンズアレイと遮光層とを備える明所コントラスト向上部材を、プラズマディスプレイや有機ＥＬディスプレイの視認側表面に配置することが提案されている。特許文献１の明所コントラスト向上部材では、遮光層によって、外光のディスプレイ内への入射が抑制される。一方、ディスプレイからの映像光は、レンズアレイにより、遮光層に設けられた開口部に集光され、視認者に到達するため、明所コントラストが改善される。
【先行技術文献】
【特許文献】
【０００４】
【特許文献１】特開２００６−３３７８４６号公報
【発明の概要】
【発明が解決しようとする課題】
【０００５】
液晶表示装置は、液晶セルの視認側表面に偏光板やカラーフィルタが設けられており、ディスプレイ内部への外光の入射による映り込みや反射が抑制されることから、一般に、自発光型ディスプレイであるプラズマディスプレイや有機ＥＬディスプレイに比して明所コントラストが高い。そのため、従前の液晶表示装置の画質改善は、黒表示時の光漏れ（黒輝度）の低減による、暗所コントラストの向上に注力がなされていた。しかし、前述のようなモバイルディスプレイ等の画質改善が進む中、液晶表示装置についても、明所コントラスト改善に対する要求が高まっている。
【０００６】
特許文献１で提案されているような明所コントラスト向上部材は、液晶表示装置にも適用可能である。しかしながら、液晶セルの視認側に、レンズアレイや遮光層等の所定パターンを有する光学部材が設けられると、これらの部材と液晶セル内に設けられたカラーフィルタの遮光部（ブラックマトリクス）とのパターンのピッチの相違等に起因して、モアレが発生しやすいとの問題を生じる。
【０００７】
液晶表示装置では、カラーフィルタや偏光板等による遮光量が大きくなると、外光の液晶セルへの入射量が低減され、明所コントラストが改善される。しかし、同時に、バックライトからの光も遮光されるため、光の利用効率（光取出し効率）が低下し、ディスプレイの輝度低下や消費電力の増大を招く。特に、モバイルディスプレイにおいては、画質向上とともに消費電力の低減が重要な課題であり、消費電力を増大させることなく、明所コントラストを改善することが求められる。
【０００８】
本発明は、上記課題に鑑み、明所コントラストが向上され、かつバックライトからの光の利用効率に優れる液晶表示装置の提供を目的とする。
【課題を解決するための手段】
【０００９】
本発明の液晶表示装置は、バックライト；集光部材；背面側偏光板；複数の画素を備える液晶セル；および視認側偏光板、をこの順に備える。液晶セルは、各画素に対応するカラー開口部および隣接するカラー開口部の境界に設けられた境界遮光部からなるカラーフィルタを備える。カラーフィルタは、境界遮光部の面積が相対的に増大されている。集光部材は、バックライトからの光がカラーフィルタのカラー開口部に合焦されるように構成されている。
【００１０】
本発明の好ましい形態において、バックライトは、液晶セル面の法線方向の光量が、斜め方向の光量に比して相対的に増大された集光バックライトである。当該構成によれば、バックライトからの光が、集光部材によって効率的にカラーフィルタのカラー開口部に合焦されるため、液晶表示装置の輝度が向上する。
【発明の効果】
【００１１】
本発明の液晶表示装置では、カラーフィルタの境界遮光部の面積が増大され、カラー開口部の面積が小さいため、外光の大部分が境界遮光部で吸収される。そのため、液晶セル内への外光の入射量が低減され、明所コントラストが向上する。また、バックライトから射出された光は、集光部材によってカラー開口部に集光される。そのためバックライトからの光の大半は、境界遮光部により遮光されることなく、カラーフィルタのカラー開口部を透過して視認者に到達し、光の利用効率が向上する。このように、本発明の構成によれば、液晶表示装置の輝度の低下を抑制しつつ、明所コントラストが高められる。
【図面の簡単な説明】
【００１２】
【図１】一実施形態にかかる液晶表示装置の構成を模式的に表す断面図である。
【図２】液晶表示装置に用いられるカラーフィルタの構成例を模式的に表す平面図である。
【図３】明所コントラストの向上について説明するための概念図である。
【図４】液晶表示装置に用いられるカラーフィルタの別の構成例を模式的に表す平面図である。
【図５】液晶表示装置に用いられるカラーフィルタの別の構成例を模式的に表す平面図である。
【発明を実施するための形態】
【００１３】
以下、本発明の液晶表示装置の実施形態について、図面を参照しながら説明する。図１は、本発明の一実施形態にかかる液晶表示装置の構成を模式的に表す断面図である。液晶表示装置１００は、バックライト１０、集光部材２０、背面側偏光板３０，液晶セル４０、および視認側偏光板５０をこの順に備える。視認者は、図１の紙面右側（ｚ軸方向）から画面を視認する。
【００１４】
［液晶セル］
液晶セル４０は、外部から入力された映像信号に基づいて光を変調するように構成されており、一対の基板４４，４７の間に、液晶層４８を有する。一般的な構成においては、一方の基板４７（アクティブマトリクス基板）に、外部から映像信号を入力するための信号線や、入力信号に基づいて液晶層の電気光学特性を制御するスイッチング素子等が設けられている。他方の基板４４（カラーフィルタ基板）には、カラーフィルタ４６が設けられている。なお、図１では、バックライト１０側にアクティブマトリクス基板４７、視認者側にカラーフィルタ基板４４を備える例が図示されているが、カラーフィルタは、バックライト側の基板４７上に設けられていてもよい。また、カラーフィルタは、基板の液晶層４８と対向する側の面に配置されるのが一般的であるが、基板の液晶層４８と反対側の面に設けられていてもよい。液晶セル４０の駆動方式は特に限定されず、ＴＮ、ＩＰＳ、ＶＡ、ＯＣＢ等、任意の駆動方式を採用することができる。
【００１５】
液晶セル４０は複数の画素（ｐｉｘｅｌ）を備える。一般には、２以上の画素が１つの絵素（ｐｉｃｔｕｒｅ  ｅｌｅｍｅｎｔ）を構成しており、１つの絵素内の各画素は、それぞれ異なる色表示に対応している。
【００１６】
＜カラーフィルタ＞
カラーフィルタ４６は、液晶セルの各画素に対応したカラー開口部を有する。図２は、カラーフィルタ４６の構成例を模式的に表す平面図である。図２に示すカラーフィルタ４６は、３種類のカラー開口部４６０Ｒ，４６０Ｇ，４６０Ｂのそれぞれが、液晶セルの１画素に対応しており、これら３つのカラー開口部が１組となって、液晶セルの１絵素に対応している。カラーフィルタ４６の各カラー開口部が、液晶セルの各画素と対応するように配置されることで、カラー表示が行われる。図２では、各絵素内に、赤色（Ｒ），緑色（Ｇ）および青色（Ｂ）の画素のそれぞれに対応するカラー開口部４６０Ｒ，４６０Ｇおよび４６０Ｂを有するカラーフィルタの構成例が図示されている。なお、カラー構成は、ＲＧＢの３色に限定されず、例えば、シアン（Ｃ）、マゼンダ（Ｍ）、イエロー（Ｙ）の３色構成や、４色以上のカラー構成であってもよい。
【００１７】
カラーフィルタ４６の各カラー開口部４６０の境界には、隣接する画素間の混色を低減するために、ブラックマトリクスと呼ばれる境界遮光部４６２および４６３が、第一方向（ｘ軸方向）および第二方向（ｙ軸方向）のそれぞれに延在するように設けられている。本発明においては、カラーフィルタ４６の境界遮光部４６２，４６３の面積が相対的に増大されることによって、太陽光や照明等の外光の液晶セル４０内への入射量が低減され、液晶表示装置の明所コントラストが向上する。
【００１８】
図２に示すカラーフィルタ４６は、開口部４６０Ｒと４６０Ｇとの間に設けられ第一方向に延在する境界遮光部４６２ｂと、第二方向に延在する境界遮光部４６３とに囲まれた矩形領域が、１つの絵素を形成している。当該形態では、第二方向に延在する境界遮光部４６３の幅が増大され、開口部４６０の幅が減少されることによって、カラーフィルタ４６は、境界遮光部の面積が増大されている。
【００１９】
カラーフィルタ４６における境界遮光部が占める面積割合が増大するほど、明所コントラストが向上する傾向がある。境界遮光部の面積割合は、１０％以上が好ましく、２５％以上がより好ましく、４０％以上がさらに好ましく、５０％以上が特に好ましい。一方、境界遮光部の面積割合が過度に大きいと、液晶表示装置の視野角の低下や輝度の低下を招く場合がある。そのため、輝度向上の観点から、境界遮光部の面積割合は、９０％以下が好ましく、８０％以下がより好ましく、７５％以下がさらに好ましい。なお、後述するように、バックライトの輝度半値幅が小さく、かつ集光部材の集光精度が高い場合は、カラーフィルタの境界遮光部が占める面積割合が９０％以上であっても高輝度の液晶表示装置を形成することができる。
【００２０】
一般の液晶表示装置に用いられるカラーフィルタでは、第一方向の境界遮光部と第二方向の境界遮光部の幅は同程度である。また、輝度向上の観点から、ブラックマトリクスの幅を小さくして、遮光部の面積割合を数％以下とし、カラー開口部の面積割合を増大させることが行われている。これに対して、本発明においては、明所コントラストを向上させる目的で、境界遮光部の面積が増大される。一般には、カラー開口部の面積が減少すると、液晶表示装置の輝度が減少する傾向があるが、本発明においては、バックライト１０と液晶セル４０との間に集光部材２０が配置されることにより、明所コントラストを向上しつつ、輝度の低下を抑制することができる。
【００２１】
図２に示すように、第二方向に延在する絵素間の境界遮光部４６３の幅が相対的に増大される場合、当該絵素間の境界遮光部４６３の幅は、第一方向に延在する各画素間の境界遮光部４６２（画素境界のブラックマトリクス）の幅の２倍以上が好ましく、５倍以上がより好ましく、１０倍以上がさらに好ましく、１５倍以上が特に好ましく、２０倍以上が最も好ましい。
【００２２】
カラーフィルタ４６の境界遮光部は、一般のカラーフィルタにおける遮光部（ブラックマトリクス）と同様の方法で形成することができる。境界遮光部は、例えば、金属や樹脂材料で構成される。樹脂材料としては、例えば、アクリル系樹脂に顔料を分散したものが用いられる。このように、本発明の液晶表示装置に用いられるカラーフィルタは、境界遮光部の幅を大きくすること以外は、従来のカラーフィルタと同様の工程および材料で製造することができ、別途の工程を追加する必要がないため、生産性に優れる。
【００２３】
カラーフィルタ４６の境界遮光部は、可視光線透過率が５％以下であることが好ましく、３％以下であることがより好ましく、１％以下であることがさらに好ましい。カラーフィルタ４６の各カラー開口部は、可視光線透過率が１０％〜５０％であることが好ましく、１５％〜４５％であることがより好ましく、２０％〜４０％であることがさらに好ましい。各カラー開口部の可視光線反射率は、１０％以下が好ましく、８％以下がより好ましい。
【００２４】
［偏光板］
視認者側から見て液晶セル４０の奥側には、背面側偏光板３０が配置される。背面側偏光板３０は、バックライト１０から射出された光が、集光部材２０を介して入射すると、透過軸方向に振動方向を有する光を透過し、吸収軸方向に振動方向を有する光を遮断する。一般には、吸収軸方向に振動方向を有する光は、背面側偏光板３０で吸収されて遮断されるが、バックライト１０側に反射されてもよい。
【００２５】
液晶セル４０の視認者側には、視認側偏光板５０が配置される。視認側偏光板は、液晶セル４０から射出された映像光が、視認側偏光板５０に入射すると、吸収軸方向の光が吸収され、透過軸方向に振動方向を有する直線偏光として、視認者側へ射出される。
【００２６】
偏光板３０，５０は、１層の偏光子からなるものでもよく、偏光子の少なくとも一方の面に、透明保護フィルム等が積層されたものであってもよい。偏光板の表面には、透明保護層の他に、位相差フィルムや、ハードコート層、易接着層等が設けられていてもよい。
【００２７】
偏光板３０，５０の配置方向は、液晶セル４０の駆動方式等に応じて適宜に設定される。一般には、視認側偏光板５０の吸収軸方向と、背面側偏光板３０の吸収軸方向とが直交するように配置されることが多いが、両者が平行や所定角度をなすように配置される場合もある。
【００２８】
［バックライト］
バックライト１０は、視認者から見て液晶表示装置の最も奥側に配置される。バックライトは、液晶セル４０側に向けて光を射出する。なお、図１では、バックライト１０として面光源が図示されているが、サイドライト方式のバックライトや、点光源とフレネルレンズシート等の集光レンズとの組み合わせによるバックライト等を用いることもできる。
【００２９】
本発明の液晶表示装置に用いられるバックライト１０は、液晶セル面の法線方向の光量が、斜め方向の光量に比して相対的に増大された集光バックライトであることが好ましい。一般に、液晶表示装置では、輝度半値角が８０〜１００°程度の拡散バックライトが広く用いられている。これに対して、本発明においては、法線方向の光量が増大された集光バックライトが用いられることで、バックライトからの光を、集光部材２０によって効率的にカラーフィルタ４６のカラー開口部４６０に合焦することができ、輝度向上の効果を高めることができる。集光バックライトは、輝度半値角が８０°未満であることが好ましく、５０°以下であることがより好ましく、２０°以下であることがさらに好ましい。なお、バックライトの輝度半値角は、極角に対する輝度分布を測定し、法線方向（極角０°）における輝度の半分の輝度を示す極角θ１とθ２との角度幅θである。
【００３０】
集光バックライトは、輝度の半値幅が小さいほど良いが、輝度半値角を０°に近づけるためには、ルーバーやスリット等を用いて光源からの光を遮光する等の手段が必要となり、バックライトの構成が複雑となったり、光源からの光の利用効率の低下による低輝度化や消費電力の増加を招く場合がある。そのため、集光バックライトの輝度の半値幅は１°以上が好ましく、３°以上がより好ましい。
【００３１】
集光バックライトの構成は、輝度半値角が小さいものであれば、特に限定されない。一例として、集光バックライトは、光源と、光源の前面（液晶セル側）に配置された拡散板と、拡散板の前面に配置された波型シートと、光源の背面側に配置された反射板とを備える。波型シートとしては、例えば特開平４−６７０１６号公報に開示されているもの等を用いることができる。波型シートの形状を調整することによって、バックライトの輝度の半値角を調整することができる。また、波型シートに代えて、あるいは、波型シートと共に、他の集光素子を用いることもできる。このような集光素子としては、例えば特開２０００−２７５４１１号公報に開示されているような、支持体上に透光性の球体を並べた集光板や、特開２００１−１８８２３０公報に開示されているようなマイクロレンズアレイを用いることができる。また、特開平５−３４１２７０に開示されているような、光源の前面にスポット状のスリットを備える集光バックライトを用いることもできる。さらに、これらに加えて、特開２００３−３１５５４６号公報に開示されているような、反射偏光子と位相差板の組合せによる集光素子を採用することもできる。また、バックライトの光源として、発光ダイオードのように直進性の高い光源を用いることによっても、バックライトの輝度半値幅を小さくすることができる。
【００３２】
［集光部材］
バックライト１０と背面側偏光板３０との間には、バックライト１０から射出される光の進路を制御する目的で、集光部材２０が配置される。集光部材２０は、バックライト１０から射出される光が、カラーフィルタ４６のカラー開口部４６０に合焦されるように構成されていることが好ましい。例えば、図３に概念的に示されるように、集光部材２０は、複数のレンズ２１を備える。各レンズ２１ａ，２１ｂ，２１ｃ，２１ｄは、バックライト１０からの光が、それぞれのレンズに対応するカラー開口部４６０ａ，４６０ｂ，４６０ｃ，４６０ｄに集光されるように、光の進路を制御する。図２に示すようにカラーフィルタ４６の第二方向に延在する境界遮光部４６３の幅が増大されている場合、集光部材２０の各レンズ２１は、第一方向（ｘ軸方向）の光の進路を制御して、境界遮光部４６３へ到達する光量を減少させるとともに、カラー開口部４６０へ到達して視認側へ透過される光の量が増大されるように構成される。
【００３３】
なお、バックライトから射出される光がカラー開口部に合焦される、とは、レンズの焦点がカラー開口部と完全に一致する場合に限定されない。集光部材２０は、バックライトから射出される光の進路を制御することによって、カラーフィルタ４６の境界遮光部４６３で吸収される光量を減少させ、対応するカラー開口部４６０から視認側へ射出される光量を増加させるように構成されていればよい。
【００３４】
図２に示すように第二方向に延在する境界遮光部の幅が増大されることによってカラーフィルタ４６の境界遮光部の面積が増大されている場合、集光部材２０は、例えば、第一方向に沿って複数のレンズ２１が配置されたレンズアレイであり、各レンズ２１が、カラーフィルタ４６の開口部のパターンと対応するように配置されている。集光部材２０は、例えば第二方向に延在するシリンドリカルレンズ２１の複数が第一方向に沿って配置されたレンチキュラーレンズである。集光部材がレンチキュラーレンズである場合、各シリンドリカルレンズ２１ａ，２１ｂ，２１ｃ，２１ｄは、液晶セル４０の画素の幅に対応するピッチで配置されている。
【００３５】
集光部材２０は、バックライトからの光を、各映像領域のカラー開口部を透過させるように構成されていれば、レンチキュラ―レンズ等のレンズアレイに限定されず、例えば回折格子のように、光の進路を制御可能な光学部材を制限なく採用することができる。
【００３６】
［明所コントラスト向上原理］
以下、図３を参照しながら、本発明の液晶表示装置における明所コントラスト向上について説明する。バックライト１０から射出された光は、集光部材２０により進路が制御され、背面側偏光板（不図示）にて、透過軸方向に振動方向を有する光のみが透過され、液晶セル４０に入射する。液晶セル４０に入射した光は、液晶層の配向状態に応じて偏光状態が変換された後、カラーフィルタ４６のカラー開口部４６０を透過して、視認側偏光板（不図示）に入射される。視認側偏光板では、液晶セルを透過した光の偏光状態に応じて吸収軸方向の光が吸収され、視認者側に映像光が射出される。
【００３７】
バックライト１０から射出された光の大部分は、集光部材２０によって集光され、境界遮光部により遮光されることなく、カラーフィルタ４６のカラー開口部４６０を透過して視認者に到達する。一方、カラーフィルタ４６の開口率が小さいため、視認者側から液晶表示装置内へ入射する外光Ｌは、大部分が境界遮光部４６３で吸収され、液晶セル４０内への入射量が低減される。このように、本発明の構成によれば、カラーフィルタの境界遮光部の面積率を大きくすることによって、液晶セル内への外光の入射量が低減されるため、明所コントラストが向上される。また、集光部材２０によりバックライト１０からの光の進路が制御されるため、境界遮光部の面積が大きいにも関わらず、境界遮光部で吸収される光量が小さく、光の利用効率が向上し、高輝度化および省消費電力化を図ることができる。
【００３８】
また、カラーフィルタ４６の境界遮光部の面積が増大されることにより、上記のような明所コントラストを向上効果が得られるとともに、不所望の光の視認側への射出が抑止されるため、暗所コントラストの向上も期待できる。不所望の光とは、例えば、集光部材２０で所期の進路に集光されなかった光や、液晶セル内のＴＦＴアレイ等によって、屈折・乱反射された光（迷光）等である。
【００３９】
本発明の構成によれば、液晶セルの背面側、あるいは液晶セル内の構造によって明所コントラストが向上されるため、液晶セルの視認側に、前述の特許文献１に開示されているような明所コントラスト向上部材を必要としない。そのため、従来技術の明所コントラスト向上部材で問題となっていた、液晶セル内の部材（カラーフィルタ等）と明所コントラスト向上部材とのパターンのピッチの相違に起因するモアレの発生が抑止される。
【００４０】
［他の実施形態］
上記のように、本発明の液晶表示装置では、カラーフィルタの境界遮光部の面積が相対的に増大され、バックライトと背面側偏光板との間に設けられた集光部材によって、バックライトからの光がカラー開口部に集光されるために、輝度の低下が抑制される。カラーフィルタの境界遮光部の面積が相対的に増大されていれば、境界遮光部およびカラー開口部の形状やパターンは、図２に示すような形態に限定されない。
【００４１】
カラーフィルタ４６は、例えば、図４に示すように、第二方向に延在する絵素間の境界遮光部４６３に加えて、第一方向に延在する絵素間の境界遮光部４６２ｂの幅も増大された形態や、図５に示すように、さらに、第一方向に延在する画素間の境界遮光部４６２ａの幅も増大された形態であってもよい。また、第一方向に延在する境界遮光部４６２の幅が増大されることによって、境界遮光部の占める面積割合が増大されていれば、第二方向に延在する境界遮光部４６３の幅は増大されていなくともよい。境界遮光部の面積が増大されていれば、カラー開口部の形状は矩形に限定されず、円形、楕円形、多角形等でもよい。また、画素の配置は、マトリクス状に限定されず、ハニカム状やスクエア状等の配置であってもよい。
【００４２】
集光部材２０は、カラーフィルタの境界遮光部のパターン構成に合わせて、適宜に変更される。例えば、図４や図５に示すように、第二方向の境界遮光部４６２の幅も増大されたカラーフィルタ４６が用いられる場合、集光部材２０として、前述のようなレンチキュラ―レンズに代えて、各絵素や各画素の大きさに対応した角錐状や半球状のマクロレンズが縦横にマトリクス状に配置されたレンズアレイ等を用いることもできる。このように、カラーフィルタのカラー開口部の形状や配置に対応した集光部材が用いられることで、各カラー開口部に集光される光量が増大し、境界遮光部で吸収される光量が減少するため、液晶表示装置の輝度を高め、消費電力を低減することができる。
【００４３】
［液晶表示装置の形成］
これまで述べたように、本発明の液晶表示装置は、バックライト１０、集光部材２０、背面側偏光板３０，液晶セル４０、および視認側偏光板５０を有する。液晶セル４０は、前述のカラーフィルタ４６を有していれば、その製造方法は特に限定されない。背面側偏光板３０および視認側偏光板５０は、それぞれ適宜の接着層等を介して、液晶セル４０と貼着されることが好ましい。
【００４４】
集光部材２０は、液晶セル４０のカラー開口部との位置関係が適切となるように配置される。集光部材２０と液晶セル４０との配置関係を適切に保つとの目的や、空気との界面での反射による光のロスを低減する等の観点から、集光部材２０は、適宜の接着層等を介して、背面側偏光板３０と貼着されていてもよい。
【００４５】
液晶表示装置は、上記以外の任意の部材を備えていてもよい。例えば、視認側偏光板５０よりもさらに視認側に、拡散素子を設けることができる。本発明の液晶表示装置は、集光バックライトや集光部材が採用されることにより、一般の液晶表示装置と比較すると斜め方向の輝度が小さくなる場合があるが、視認側に拡散素子を備えることで、正面方向の光を斜め方向に配光して、斜め方向の輝度を拡大することができる。
【００４６】
本発明の液晶表示装置は、携帯電話、スマートフォン、タブレットパソコン、携帯ゲーム機等のモバイル機器や、パソコン用モニター等のＯＡ機器、テレビやインフォメーションディスプレイ等の大型表示装置等に制限無く採用することができる。輝度の低下を抑制しつつ明所コントラストが向上されることから、本発明の液晶表示装置は、モバイル機器のディスプレイとして特に好適に用いられる。
【符号の説明】
【００４７】
１００        ：液晶表示装置
１０          ：バックライト
２０          ：集光部材
２１          ：レンズ
３０，５０    ：偏光板
４０          ：液晶セル
４６          ：カラーフィルタ
４６０        ：カラー開口部
４６２，４６３：境界遮光部
４５，４７    ：基板
４８          ：液晶層
【図１】
2014145953.tif 000003
【図２】
2014145953.tif 000004
【図３】
2014145953.tif 000005
【図４】
2014145953.tif 000006
【図５】
2014145953.tif 000007